(57)【要約】【課題】  バルブ撮影等の長時間露出において、画像データと音声データを記録し、また記録された画像データと音声データを再生することのできる撮像装置および撮像装置の制御方法を提供する。【解決手段】  所定の周期で被写体像を繰り返し撮像する撮像部２９１と、撮像部２９１の１回の撮像動作に同期して音声データを記録する音声記録部３１１と、撮像部２９１で撮像された複数の画像データを加算演算する加算演算部２９３と、加算画像データを可視化表示する画像表示部２９６と、画像表示部２９６にて加算画像の表示に連動して、音声記録部３１１によって記録された音声データを記録順に再生する音声再生部３１５を具備する。【選択図】  図３
2009239601.tif 000002
【特許請求の範囲】
【請求項１】
所定の周期で被写体像を繰り返し撮像する撮像部と、
上記撮像部の１回の撮像動作に同期して音声データを記録する音声記録部と、
上記撮像部で撮像された複数の画像データを加算演算する加算演算部と、
上記加算画像データを可視化表示する画像表示部と、
上記画像表示部にて上記加算画像表示に連動して、上記音声記録部によって記録された音声データを記録順に再生する音声再生部と、
を具備したことを特徴とする撮像装置。
【請求項２】
上記画像表示部は、再生にあたって、最初に上記複数の画像データの全部を加算演算した全加算画像を表示すると共に、上記音声再生部は、上記音声データを記録順に再生することを特徴とする請求項１に記載の撮像装置。
【請求項３】
上記画像表示部は、再生にあたって、上記所定の周期ごとの加算画像を順次表示すると共に、上記音声再生部は、上記加算画像の表示に同期して、上記音声データを記録順に再生することを特徴とする請求項１に記載の撮像装置。
【請求項４】
音声記録部は、一対の記憶領域を有する一時記憶部と、記録媒体を備え、上記所定の周期ごとに上記音声データを上記一時記憶部の上記記憶領域に交互に記憶し、上記一時記憶部の一方の記憶領域に一時記憶している間に他方の記憶領域に一時記憶された音声データを上記記録媒体に記録することを特徴とする請求項１に記載の撮像装置。
【請求項５】
被写体像を撮像する撮像部と、
上記撮像部による撮像動作に同期して周囲音声を録音する録音部と、
上記撮像部から出力された画像データと上記録音部から出力された音声データとを関連付けて記録媒体に順次記録する記録部と、
レリーズ操作に応答して、上記撮像部、上記録音部、および、上記記録部を繰り返し動作させる制御部と、
を具備した撮像装置において、
上記記録媒体に記録された複数の画像データの加算画像を生成する加算画像生成部と、
上記加算画像を表示する加算画像表示部と、
上記加算画像の表示に連動して、上記記録媒体に記録された音声データを記録順に再生する音声再生部と、
を具備したことを特徴とする撮像装置。
【請求項６】
被写体像を撮像する撮像動作と、その撮像動作に同期して周囲音声を録音する録音動作とを所定の周期で繰り返すとともに、１回の動作で取得した画像データと音声データとを関連付けて記録媒体に順次記録するようにした撮像装置の制御方法において、
上記記録媒体に記録された複数の画像データの加算画像を表示すると共に、それに連動して上記記録媒体に記録された音声データを記録順に再生可能にしたことを特徴とする撮像装置の制御方法。
【請求項７】
所定の周期で被写体像を繰り返し撮像する撮像部と、
上記撮像部の１回の撮像動作に同期して音声データを取得する音声データ取得部と、
上記撮像部で撮像された複数の画像データを加算演算する加算演算部と、
上記加算演算部によって生成された加算画像の画像データと、上記音声データ取得部によって取得された音声データを記録する記録部と、
を具備したことを特徴とする撮像装置。
【請求項８】
所定の周期で被写体像を繰り返し撮像し、得られた画像データを加算した加算画像の画像データと、上記所定の周期に同期して、取得された音声データを再生する再生装置において、
上記加算画像を表示すると共に、上記音声データを順次、再生することを特徴とする再生装置。
【請求項９】
所定の周期で被写体像を繰り返し撮像し、得られた複数の画像データを、上記所定の周期に同期して、取得された音声データを再生する再生方法において、
上記複数の画像データの加算画像を生成し、
上記加算画像を表示し、
上記加算画像の表示に連動して、上記音声データを記録順に再生する、
ことを特徴とする再生方法。
【請求項１０】
所定の周期で被写体像を繰り返し撮像し、得られた複数の画像データをと、上記所定の周期に同期して、取得された音声データを再生するコンピュータを実行するコンピュータのプログラムにおいて、
上記複数の画像データの加算画像を生成するステップと、
上記加算画像を表示するステップと、
上記加算画像の表示に連動して、上記音声データを記録順に再生するステップと、
を具備したことを特徴とするコンピュータを実行するコンピュータのプログラム。
【発明の詳細な説明】
【技術分野】
【０００１】
本発明は、撮像装置および撮像装置の制御方法に関し、詳しくは、バルブ撮影等の長時間撮影において露光の進展度に応じた被写体画像を表示可能な撮像装置および撮像装置の制御方法に関する。
【背景技術】
【０００２】
一般に、星空や花火、夜景等の被写体を撮影する場合にはバルブ撮影を利用することが多い。ただ、バルブ撮影は撮影対象や周囲条件に応じて適切な露光秒時（シャッタ開からシャッタ閉までの時間）が様々であり、撮影者は自身の判断で出来上がりの画像を見ることなく、露光時間を決めなければならなかった。そのため、その判断を誤ると露光不足、露光過多になってしまうという問題があった。
【０００３】
そこで、バルブ撮影等の際に、露光に応じて撮影画像を観察できると、リアルタイムで露光レベルを観察することができ、露光時間の判断が容易になる。例えば、特許文献１には、撮像動作中に、所定の時間間隔(例えば、１／１０秒)で撮像素子から画素信号を取り出し、順次加算した画像を液晶モニタに表示する撮像装置が開示されている。
【特許文献１】特開２００５−１１７３９５号公報
【発明の開示】
【発明が解決しようとする課題】
【０００４】
特許文献１に記載の撮像装置によれば、露光の進み具合を把握することができるので、バルブ撮影でも大きな失敗を防ぐことができる。しかし、バルブ撮影に合わせて周囲の音声を録音したい場合がある。しかし、特許文献１には、画像データを加算し加算画像を生成して表示する場合に、画像データと音声データをどのように記録し、また記録された画像データと音声データをどのように再生するかについては、なんら記載されていない。
【０００５】
本発明は、このような事情を鑑みてなされたものであり、バルブ撮影等の長時間露出において、画像データと音声データを記録し、また記録された画像データと音声データを再生することのできる撮像装置および撮像装置の制御方法を提供することを目的とする。
【課題を解決するための手段】
【０００６】
上記目的を達成するため第１の発明に係わる撮像装置は、所定の周期で被写体像を繰り返し撮像する撮像部と、上記撮像部の１回の撮像動作に同期して音声データを記録する音声記録部と、上記撮像部で撮像された複数の画像データを加算演算する加算演算部と、上記加算画像データを可視化表示する画像表示部と、上記画像表示部にて上記加算画像表示に連動して、上記音声記録部によって記録された音声データを記録順に再生する音声再生部と、を具備する。
【０００７】
第２の発明に係わる撮像装置は、上記第１の発明において、上記画像表示部は、再生にあたって、最初に上記複数の画像データの全部を加算演算した全加算画像を表示すると共に、上記音声再生部は、上記音声データを記録順に再生する。
第３の発明に係わる撮像装置は、上記第１の発明において、上記画像表示部は、再生にあたって、上記所定の周期ごとの加算画像を順次表示すると共に、上記音声再生部は、上記加算画像の表示に同期して、上記音声データを記録順に再生する。
【０００８】
第４の発明に係わる撮像装置は、上記第１の発明において、音声記録部は、一対の記憶領域を有する一時記憶部と、記録媒体を備え、上記所定の周期ごとに上記音声データを上記一時記憶部の上記記憶領域に交互に記憶し、上記一時記憶部の一方の記憶領域に一時記憶している間に他方の記憶領域に一時記憶された音声データを上記記録媒体に記録する。
【０００９】
第５の発明に係わる撮像装置は、被写体像を撮像する撮像部と、上記撮像部による撮像動作に同期して周囲音声を録音する録音部と、上記撮像部から出力された画像データと上記録音部から出力された音声データとを関連付けて記録媒体に順次記録する記録部と、レリーズ操作に応答して、上記撮像部、上記録音部、および、上記記録部を繰り返し動作させる制御部と、を具備した撮像装置において、上記記録媒体に記録された複数の画像データの加算画像を生成する加算画像生成部と、上記加算画像を表示する加算画像表示部と、上記加算画像の表示に連動して、上記記録媒体に記録された音声データを記録順に再生する音声再生部と、を具備する。
【００１０】
第６の発明に係わる撮像装置の制御方法は、被写体像を撮像する撮像動作と、その撮像動作に同期して周囲音声を録音する録音動作とを所定の周期で繰り返すとともに、１回の動作で取得した画像データと音声データとを関連付けて記録媒体に順次記録するようにした撮像装置の制御方法において、上記記録媒体に記録された複数の画像データの加算画像を表示すると共に、それに連動して上記記録媒体に記録された音声データを記録順に再生可能にする。
【００１１】
第７の発明に係わる撮像装置は、所定の周期で被写体像を繰り返し撮像する撮像部と、上記撮像部の１回の撮像動作に同期して音声データを取得する音声データ取得部と、上記撮像部で撮像された複数の画像データを加算演算する加算演算部と、上記加算演算部によって生成された加算画像の画像データと、上記音声データ取得部によって取得された音声データを記録する記録部と、を具備する。
【００１２】
第８の発明に係わる再生装置は、所定の周期で被写体像を繰り返し撮像し、得られた画像データを加算した加算画像の画像データと、上記所定の周期に同期して、取得された音声データを再生する再生装置において、上記加算画像を表示すると共に、上記音声データを順次、再生する。
第９の発明に係わる再生方法は、所定の周期で被写体像を繰り返し撮像し、得られた複数の画像データを、上記所定の周期に同期して、取得された音声データを再生する再生方法において、上記複数の画像データの加算画像を生成し、上記加算画像を表示し、上記加算画像の表示に連動して、上記音声データを記録順に再生する。
【００１３】
第１０の発明に係わるコンピュータのプログラムは、所定の周期で被写体像を繰り返し撮像し、得られた複数の画像データをと、上記所定の周期に同期して、取得された音声データを再生するコンピュータを実行するコンピュータのプログラムにおいて、上記複数の画像データの加算画像を生成するステップと、上記加算画像を表示するステップと、上記加算画像の表示に連動して、上記音声データを記録順に再生するステップと、を具備する。
【発明の効果】
【００１４】
本発明によれば、バルブ撮影等の長時間露出において、画像データと音声データを記録し、また記録された画像データと音声データを再生することのできる撮像装置および撮像装置の制御方法を提供することができる。
【発明を実施するための最良の形態】
【００１５】
以下、図面に従って本発明を適用したデジタル一眼レフカメラを用いて好ましい一実施形態について説明する。図１は、本発明の第１実施形態に係るデジタル一眼レフカメラについて背面からみた外観斜視図である。
【００１６】
このデジタル一眼レフカメラは、カメラ本体２００と交換レンズ１００とから構成されている。カメラ本体２００の上面にはレリーズ釦２１、撮影モードダイヤル２２、情報設定ダイヤル２４、マイク用穴２５、ストロボ５０等が配置されている。レリーズ釦２１は、撮影者が半押しするとオンする第１レリーズスイッチと、全押しするとオンする第２レリーズスイッチを有している。この第１レリーズスイッチ（以下、１Rと称する）のオンによりカメラは焦点検出、撮影レンズのピント合わせ、被写体輝度の測光等の撮影準備動作を行い、第２レリーズスイッチ（以下、２Rと称する）のオンによりカメラは撮像素子２２１（図２参照）の出力に基づいて被写体像の画像データの取り込みを行う撮影動作を実行する。
【００１７】
撮影モードダイヤル２２は回転可能に構成された操作部材であり、撮影モードダイヤル２２上に設けられた撮影モードを表す絵表示または記号を指標に合致させることにより、プログラム撮影モード（Ｐ）、絞り優先撮影モード（Ａ）、シャッタ撮影優先モード（Ｓ）、マニュアル撮影モード（Ｍ）、バルブモード（Ｂ）等の各撮影モードを選択することができる。
【００１８】
情報設定ダイヤル２４は回転可能に構成された操作部材であり、情報表示画面等において、情報設定ダイヤル２４の回転操作により所望の設定値やモード等を選択することができる。バルブモードが設定されたときには、露光中の画像表示の更新時間の設定を行うことができる。マイク用穴２５ａは、バルブ撮影時等にマイク２５が周囲の音声を録音するために集音しやすくするための穴である。ストロボ５０は、ポップアップ式の補助照明装置であり、図示しない操作釦を操作することにより、ストロボ５０がポップアップし被写体に対して照射可能となる。
【００１９】
カメラ本体２００の背面には、液晶モニタ２６、連写／単写釦２７、ＡＦロック釦２８、スピーカー穴２９ａ、アップ用十字釦３０Ｕ、ダウン用十字釦３０Ｄ、右側釦３０Ｒ、左側釦３０Ｌ（これらの各十字釦３０Ｕ、３０Ｄ、３０Ｒ、３０Ｌを総称する際には、十字釦３０と称する）、ＯＫ釦３１、ライブビュー表示釦３３、拡大釦３４、メニュー釦３７、再生釦３８が配置されている。液晶モニタ２６は、ライブビュー表示を行い、また、撮影済みの被写体像を再生表示し、撮影情報やメニューを表示するための表示装置である。また、バルブ撮影時には、露光動作中に撮像素子２２１によって取得した画像信号に基づいて画像を表示する。これらの表示を行うことができるものであれば、液晶に限らない。
【００２０】
連写／単写釦２７は、レリーズ釦２１が全押しされている間は連続して撮影する連写モードと、レリーズ釦２１が全押しされると、１駒、撮影する単写モードのモード切り換え用の操作部材である。ＡＥロック釦２８は、測光値を固定するための操作部材である。これによって、撮影対象の輝度を測定した後、このＡＥロック釦２８を操作すると、構図を変更しても測光値が保持され、露光レベルが変化しないで撮影を行うことができる。スピーカー穴２９ａは、音声付で撮影した場合に、音声を再生するスピーカー２９の音を聴き取りやすくための穴である。
【００２１】
十字釦３０は液晶モニタ２６上で、Ｘ方向とＹ方向の２次元方向にカーソルの移動を指示するための操作部材であり、また、記録媒体２７７に記録された被写体像を再生表示するにあたって、被写体像の選択指示にも使用する。なお、アップ、ダウン、左、右用の４つの釦を設ける以外にも、タッチスイッチのように２次元上で操作方向を検出できるスイッチ等、２次元方向に操作できる操作部材に置き換えることも可能である。ＯＫ釦３１は、十字釦３０やコントロールダイヤル２４等によって選択された各種項目を確定するための操作部材である。
【００２２】
ライブビュー表示釦３３は、情報表示等の表示画面からライブビュー表示に切り換え、またはライブビュー表示から情報表示等の表示画面に切り換えるための操作釦である。なお、ライブビュー表示は、被写体像記録用の撮像素子２２１の出力に基づいて液晶モニタ２６に被写体像を観察用に表示するモードであり、情報表示はデジタル一眼レフカメラの撮影情報を表示設定するために液晶モニタ２６に表示されるモードである。拡大釦３４は、液晶モニタ２６に被写体像の一部分を拡大表示するための操作部材であり、前述の十字釦３０を操作することによって拡大位置を変更することができる。
【００２３】
メニュー釦３７は、このデジタル一眼レフカメラの各種モードを設定するためのメニューモードに切り換えるための操作部材であり、このメニュー釦３７の操作によってメニューモードを選択すると、液晶モニタ２６にメニュー画面が表示される。メニュー画面は複数の階層構造となっており、十字釦３０で各種項目を選択し、ＯＫ釦３１の操作により選択を決定する。
【００２４】
再生釦３８は、撮影後に記録した被写体画像を液晶モニタ２６に表示させることを指示するための操作釦である。後述するＳＤＲＡＭ（Synchronous Dynamic Random Access Memory）２６７、記録媒体２７７にＪＰＥＧ等の圧縮モードで記憶されている被写体の画像データを伸張して表示する。また、再生釦３８の操作によって、音声付きでバルブ撮影を行った画像の再生指示を行うと、バルブ撮影時における加算画像と共に音声も再生される。
【００２５】
カメラ本体２００の側面には、記録媒体収納蓋４０が開閉自在に取り付けられている。この記録媒体収納蓋４０を開放すると、この内部に記録媒体２７７用の装填スロットが設けられており、記録媒体２７７はカメラ本体２００に対して、着脱自在に装填可能となっている。
【００２６】
次に、図２を用いて、デジタル一眼レフカメラの電気系を主とする全体構成を説明する。本実施形態では、交換レンズ１００とカメラ本体２００は別体で構成され、通信接点３００にて電気的に接続されているが、交換レンズ１００とカメラ本体２００を一体に構成することも可能である。なお、内蔵式のストロボ５０の回路ブロックは図２において、省略してある。
【００２７】
交換レンズ１００の内部には、焦点調節および焦点距離調節用の撮影光学系１０１と、開口量を調節するための絞り１０３が配置されている。撮影光学系１０１はレンズ駆動機構１０７によって駆動され、絞り１０３は絞り駆動機構１０９によって駆動されるよう接続されている。
【００２８】
レンズ駆動機構１０７および絞り駆動機構１０９は、それぞれレンズＣＰＵ１１１に接続されており、このレンズＣＰＵ１１１は通信接点３００を介してカメラ本体２００の通信回路２７３に接続されている。レンズＣＰＵ１１１は交換レンズ１００内の制御を行うものであり、レンズ駆動機構１０７を制御してピント合わせや、ズーム駆動を行うとともに、絞り駆動機構１０９を制御して絞り値制御を行う。また、レンズＣＰＵ１１１は、交換レンズ１００の開放絞り値や焦点距離情報等のレンズ固有情報や、光学系位置検出機構(不図示)によって検出された焦点距離や焦点位置情報を、カメラ本体２００に送信する。
【００２９】
カメラ本体２００内には、被写体像を観察光学系に反射するためにレンズ光軸に対して４５度傾いた位置（下降位置、被写体像観察位置）と、被写体像を撮像素子２２１に導くために跳ね上がった位置（上昇位置、退避位置）との間で、回動可能な可動ミラー２０１が設けられている。この可動ミラー２０１の上方には、被写体像を結像するためのフォーカシングスクリーン２０５が配置され、このフォーカシングスクリーン２０５の上方には、被写体像を左右反転させるためのペンタプリズム２０７が配置されている。
【００３０】
このペンタプリズム２０７の出射側(図２で右側)には被写体像観察用の接眼レンズ（不図示）が配置され、この脇であって被写体像の観察に邪魔にならない位置に測光センサ２１１が配置されている。この測光センサ２１１は、測光処理回路２４１に接続され、測光センサ２１１の出力は、この測光処理回路２４１によって増幅処理やアナログ−デジタル変換等の処理がなされる。
【００３１】
上述の可動ミラー２０１の中央付近はハーフミラーで構成されており、この可動ミラー２０１の背面には、ハーフミラー部で透過した被写体光をカメラ本体２００の下部に反射するためのサブミラー２０３が設けられている。このサブミラー２０３は、可動ミラー２０１に対して回動可能であり、可動ミラー２０１が跳ね上がっているときには（図２において破線位置）、ハーフミラー部を覆う位置に回動し、可動ミラー２０１が被写体像観察位置（下降位置）にあるときには、図示する如く可動ミラー２０１に対して開いた位置にある。
【００３２】
この可動ミラー２０１は可動ミラー駆動機構２３９によって駆動されている。また、サブミラー２０３の下方には焦点検出センサ２４３が配置されており、この焦点検出センサ２４３の出力は焦点検出処理回路２４５に接続されている。焦点検出センサ２４３は、撮影光学系１０１によって結像される被写体像の焦点ズレ量（デフォーカス量）を測定するために、撮影光学系１０１の周辺光束を２光束に分離する公知の位相差ＡＦ光学系と１対のセンサとから構成されている。
【００３３】
可動ミラー２０１の後方には、露光時間制御用のフォーカルプレーンタイプのシャッタ２１３が配置されており、このシャッタ２１３はシャッタ駆動機構２３７によって駆動制御される。シャッタ２１３の後方には撮像素子２２１が配置されており、撮影光学系１０１によって結像される被写体像を電気信号に光電変換する。なお、撮像素子２１１としては、ＣＣＤ（Charge Coupled Devices）またはＣＭＯＳ（Complementary
Metal Oxide Semiconductor）等の二次元撮像素子を使用できることは言うまでもない。
【００３４】
前述のシャッタ２１３と撮像素子２２１の間には、被写体光束から赤外光成分と、高周波成分を除去するための光学フィルタである赤外カットフィルタ・ローパスフィルタ２１７が配置されている。
【００３５】
撮像素子２２１は撮像素子駆動回路２２３に接続され、この撮像素子駆動回路２２３によって、撮像素子２２１から画像信号の読出し等が行われる。撮像素子駆動回路２２３は、画像信号のアナログデジタル変換を行うＡＤＣ（Analogue Digital Converter）２２５に接続されている。ＡＤＣ２２５の出力は、暗電流除去回路２２７に接続されている。暗電流除去回路２２７は、撮像素子２２１で発生する暗電流を除去するための回路であり、撮像素子２２１の周辺部の遮光領域で発生した暗電流を用いて、被写体像を表す画像データを補正する。
【００３６】
暗電流除去回路２２７は、ＡＳＩＣ（Application Specific
Integrated Circuit 特定用途向け集積回路）２５０内のデータバス２５２に接続されている。このデータバス２５２には、シーケンスコントローラ(以下、「ボディＣＰＵ」と称す)２５１、画像処理回路２５７、圧縮伸張回路２５９、ビデオ信号出力回路２６１、ＳＤＲＡＭ制御回路２６５、入出力回路２７１、通信回路２７３、記録媒体制御回路２７５、フラッシュメモリ制御回路２７９、スイッチ検知回路２８３、オーディオ回路２８７が接続されている。
【００３７】
データバス２５２に接続されているボディＣＰＵ２５１は、このデジタル一眼レフカメラの動作を制御するものである。データバス２５２に接続された画像処理回路２５７は、デジタル画像データのデジタル的増幅（デジタルゲイン調整処理）、色補正、ガンマ（γ）補正、コントラスト補正、ライブビュー表示用画像生成等の各種の画像処理を行なう。また圧縮伸張回路２５９はＳＤＲＡＭ２６７に記憶された画像データをＪＰＥＧやＴＩＦＦ等の圧縮方式で圧縮し、また、圧縮画像データを伸張するための回路である。なお、画像圧縮はＪＰＥＧやＴＩＦＦに限らず、他の圧縮方式も適用できる。
【００３８】
ビデオ信号出力回路２６１は液晶モニタ駆動回路２６３を介して液晶モニタ２６に接続される。ビデオ信号出力回路２６１は、ＳＤＲＡＭ２６７、記録媒体２７７に記憶された画像データを、液晶モニタ２６に表示するためのビデオ信号に変換するための回路である。液晶モニタ２６は、図１に示すように、カメラ本体２００の背面に配置されるが、撮影者が観察できる位置であれば、背面に限らないし、また液晶に限らず他の表示装置でも構わない。
【００３９】
ＳＤＲＡＭ２６７は、ＳＤＲＡＭ制御回路２６５を介してデータバス２５２に接続されており、このＳＤＲＡＭ２６７は、画像処理回路２５７によって画像処理された画像データまたは圧縮伸張回路２５９によって圧縮された画像データを一時的に記憶するためのバッファメモリである。
【００４０】
上述の撮像素子駆動回路２２３、シャッタ駆動機構２３７、可動ミラー駆動機構２３９、測光処理回路２４１、焦点検出処理回路２４５に接続される入出力回路２７１は、データバス２５２を介してボディＣＰＵ２５１等の各回路とデータの入出力を制御する。
【００４１】
レンズＣＰＵ１１１と通信接点３００を介して接続された通信回路２７３は、データバス２５２に接続され、ボディＣＰＵ２５１等とのデータのやりとりや制御命令の通信を行う。データバス２５２に接続された記録媒体制御回路２７５は、記録媒体２７７に接続され、この記録媒体２７７への画像データ等の記録及び画像データ等の読み出しの制御を行う。
【００４２】
記録媒体２７７は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。この記録媒体２７７には、画像データや音声データが記録される。
【００４３】
フラッシュメモリ制御回路２７９は、フラッシュメモリ（Flash Memory）２８１に接続され、このフラッシュメモリ２８１は、デジタル一眼レフカメラの動作を制御するためのプログラムが記憶されており、ボディＣＰＵ２５１はこのフラッシュメモリ２８１に記憶されたプログラムに従ってデジタル一眼レフカメラの制御を行う。なお、フラッシュメモリ２８１は、電気的に書換え可能な不揮発性メモリである。
【００４４】
レリーズ釦２１の第1ストローク（半押し）を検出する１Ｒスイッチや、第２ストローク（全押し）を検出する２Ｒスイッチ、パワースイッチ、メニュー釦３７に連動するメニュースイッチ、撮影モードダイヤル２２に連動するダイヤルスイッチ、情報設定ダイヤル２４に連動するダイヤルスイッチ、十字釦３０の各釦３０Ｕ、３０Ｄ、３０Ｒ、３０Ｌに連動するスイッチ、その他の操作部材に連動する各種スイッチを含む各種スイッチ２８５は、スイッチ検知回路２８３を介してデータバス２５２に接続されている。
【００４５】
データバス２５２に接続されたオーディオ回路２８７は、マイク２５およびスピーカー２９に接続されている。マイク２５は、バルブ撮影時等に周囲の音声をアナログ音声信号に変換し、オーディオ回路２８７はアナログ音声信号をデジタル音声データに変換し、また記録媒体２７７に記録された音声データをアナログ音声信号に変換して、スピーカー２９に出力する。
【００４６】
次に、バルブ撮影における露光中の画像表示と音声の記録・再生に関連する構成について、図３を用いて説明する。制御部２９７は、デジタル一眼レフカメラ全体を制御するボディＣＰＵ２５１によって構成される。撮像部２９１は、撮像素子２２１、撮像素子駆動回路２２３、ＡＤＣ回路２２５、暗電流除去回路２２７等を含み、画像信号に基づく画像データを出力する。撮像部２９１の出力は加算処理部２９４に接続されている。
【００４７】
加算処理部２９４の内の一時記憶部２９２は、ＳＤＲＡＭ２６７等の一時記憶装置によって構成され、記憶領域Ａから記憶領域ｎｎに区分けされた多数の記憶領域を有し、各記憶領域には、撮像素子２９１から出力される画像データが順番に記憶される。一時記憶部２９２において、最初の画像データは記憶領域Ａに記憶され、次に、撮像部２９１から画像データが出力されると、その画像データは記憶領域Ｂに記憶される。以後、撮像部２９１から画像データが出力されるたびに隣接する記憶領域に記憶される。
【００４８】
また、加算処理部２９４の内の加算演算部２９３は、ボディＣＰＵ２５１と画像処理回路２５７によって構成されており、一時記憶部２９２からそれまでの全画像データを入力し、その全画像データについて加算演算して加算画像を生成し、加算画像記憶部２９５に出力する。すなわち、加算演算部２９３は、最初の画像データが記憶領域Ａに一時記憶された際には、その画像データをそのまま出力し、次に画像データが記憶領域Ｂに一時記憶された際には、記憶領域Ａと記憶領域Ｂに記憶された画像データの加算演算を行う。以後、一時記憶部２９２に画像データが一時記憶されるたびに、それまでに記憶された全画像データの加算演算を行い、加算画像記憶部２９５に出力する。
【００４９】
加算画像記憶部２９５は、ＳＤＲＡＭ２６７等の一時記憶装置によって構成され、画像表示部２９６に接続されている。画像表示部２９６は、液晶モニタ２６、液晶モニタ駆動回路２６３等によって構成され、加算画像記憶部２９５から読み出された画像を表示する。設定部２９８は、情報設定ダイヤル２４等によって構成され、バルブ撮影時における更新時間の設定等を行う。
【００５０】
音声記録部３１１は、マイク２５、オーディオ回路２８７等から構成され、制御部２９７によって制御されると共に、その出力は一時記憶部３１３に接続されている。一時記憶部３１３は、記憶領域ａと記憶領域ｂを有しており、音声記録部３１１から音声データが出力されるたびに、交互に一時記憶する。すなわち、一時記憶部３１３は、最初に音声データを入力すると記憶領域ａに一時記憶し、次に音声データを入力すると記憶領域ｂに一時記憶し、さらに音声データを入力すると記憶領域ａに一時記憶する。
【００５１】
メディア記録再生部３１４は、記録媒体制御回路２７５、記録媒体２７７等によって構成され、一時記憶部２９２に記憶された画像データ、加算画像記憶部２９４に記憶された加算画像データ、一時記憶部３１３に記憶された音声データ等を記録媒体２７７に記録する。ここに記録された画像データや加算画像データに基づく画像は画像表示部２９６に再生表示される。
【００５２】
メディア記録再生部３１４の出力は、画像表示部２９６に接続されている他、音声再生部３１５にも接続されている。音声再生部３１５は、オーディオ回路２８７、スピーカー２９等によって構成され、メディア記録再生部３１４に記録された音声データを可聴音で再生する。
【００５３】
このように構成されているので、制御部２９７は、設定された更新時間間隔で、撮像部２９１から画像データを出力させ、一時記憶部２９２は画像データが出力されるたびに一時記憶する。また、加算演算部２９３は、設定された更新時間間隔で、それまでの全画像データを加算し、加算画像記憶部２９５はこの加算画像データを記憶する。この記憶された加算画像データに基づく加算画像は、画像表示部２９６に表示される。
【００５４】
最初に一時記憶部２９２に画像データに基づく画像が、画像表示部２９６に表示されるときには、この画像データは、一番最初の露光であることから、図１３（ａ）のように露出不足の画像である。この後、更新時間が経過すると、記憶領域Ａと記憶領域Ｂに記憶された画像データの加算画像を生成し、この加算画像は図１３（ｂ）のように少し明るくなる。順次、画像データが出力され、全加算画像が出力されるたびに少しずつ明るい画像となり、図１３（ｆ）のように適正露光に近くなり、さらに全加算される画像データが多くなると、図１３（ｈ）のように露出過多の画像となる。
【００５５】
また、本実施形態においては、バルブ撮影時等に、周囲の音声を録音する。すなわち、バルブ撮影時には、音声記録部３１１によって音声データを入力し、一時記憶部３１３の記録領域ａまたは記録領域ｂに交互に一時記憶する。この一時記憶された音声データは、設定された更新時間経過時に、メディア記録再生部３１４内の記録媒体２７７に記録される。この記録媒体２７７に記録された音声データは、加算画像の再生時に併せて、音声再生部３１５において再生される。
【００５６】
次に、本発明の一実施形態におけるデジタル一眼レフカメラの動作の詳細について図４乃至図８に示すフローチャートを用いて説明する。図４は、カメラ本体２００側のボディＣＰＵ２５１によるパワーオンリセットの動作である。カメラ本体２００に電池が装填されると、このフローがスタートし、カメラ本体２００のパワースイッチがオンであるか否かを判定する（＃１）。
【００５７】
判定の結果、パワースイッチがオフの場合には、低消費電力の状態であるスリープ状態となる（＃３）。このスリープ状態ではパワースイッチがオンとなった場合のみに割り込み処理を行い、ステップ＃５以下においてパワースイッチオンのための処理を行う。パワースイッチがオンとなるまでは、パワースイッチ割り込み処理以外の動作を停止し、電源電池の消耗を防止する。ステップ＃１において、パワースイッチがオンであった場合、またはステップ＃３におけるスリープ状態を脱した場合には、電源供給を開始する（＃５）。
【００５８】
次に、撮影モードダイヤル２２によって設定された撮影モードや、情報設定ダイヤル２４によって設定されたＩＳＯ感度、マニュアル設定されたシャッタ速度や絞り値等の情報があればそれらの撮影条件、およびレンズ情報の読み込みを行う（＃７）。レンズ情報の読み込みは、レンズＣＰＵ１１１から通信回路２７３を介して交換レンズ１００の開放絞り値や焦点距離情報等のレンズ固有情報の読み込みを行う。このステップで、バルブモードが設定されている場合には、この情報が読み込まれる。
【００５９】
続いて、バルブモードが設定されたか否かの判定を行う（＃９）。ステップ＃７において撮影モードを読み込んでいることから、読み込まれた撮影モードとしてバルブモードが設定されたか否かの判定を行う。判定の結果、バルブモードが設定されていなかった場合には、測光・露光量演算を行なう（＃１１）。このステップでは、測光センサ２１１によって被写体輝度を測光し、露光量を演算し、この露光量を用いて撮影モード・撮影条件に従ってシャッタ速度や絞り値等の露光制御値の演算を行う。
【００６０】
ステップ＃９における判定の結果、バルブモードが設定されていた場合には、更新時間（画像データを繰り返し出力する周期）の入力を行う（＃３１）。この更新時間の入力については、図５を用いて後述する。更新時間の入力が終わると、ステップ＃１３にジャンプする。バルブモードの場合には、測光に係わりなくユーザー操作によってシャッタ２１３の開閉が行われることから、ステップ＃１１の測光・露光量演算は実行されない。
【００６１】
次に、撮影情報を液晶モニタ２６に表示する（＃１３）。撮影情報としては、ステップ＃７において読み込んだ撮影モード・撮影条件等と、ステップ＃１１において演算したシャッタ速度や絞り値の露出制御値等である。撮影モードとして、バルブモードが設定された場合には、図１１に示すように、バルブモード表示３０１や更新時間表示３０２が、他の撮影情報と共に、液晶モニタ２６上に表示される。
【００６２】
撮影情報の表示を行うと、次に、再生釦３８に連動する再生スイッチがオンか否かの判定を行う（＃１７）。再生モードは、再生釦３８が操作された際に、記録媒体２７７に記録された画像データを読み出して液晶モニタ２６に表示するモードである。判定の結果、再生スイッチがオンの場合には、再生動作を実行する（＃３３）。この再生動作において、バルブ撮影時に記録した加算画像が表示されると共に、併せて録音した音声データも一緒に再生される。再生動作の詳細については、図８を用いて後述する。
【００６３】
ステップ＃１７における判定の結果、再生スイッチがオンではなかった場合には、メニュー釦３７に連動するメニュースイッチがオンか否かの判定を行なう（＃１９）。このステップでは、メニュー釦３７が操作され、メニューモードが設定されたか否かを判定する。判定の結果、メニュースイッチがオンであった場合には、液晶モニタ２６にメニュー表示し、メニュー設定動作を行う（＃３５）。メニュー設定動作によって、ＡＦモード、ホワイトバランス、ＩＳＯ感度設定、ドライブモードの設定等、各種の設定動作を行うことができる。
【００６４】
ステップ＃１９における判定の結果、メニュースイッチがオンでなかった場合には、レリーズ釦２１が半押しされたか、すなわち、１Ｒスイッチがオンか否かの判定を行う。判定の結果、１Ｒスイッチがオンであった場合には、撮影準備と撮影を行う撮影動作のサブルーチンを実行する（＃３７）。このサブルーチンの詳細は図６を用いて後述する。
【００６５】
ステップ＃２１における判定の結果、１Ｒスイッチがオンでなかった場合には、ステップ＃１と同様に、パワースイッチがオンか否かの判定を行なう（＃２３）。判定の結果、パワースイッチがオンであった場合には、ステップ＃７に戻り、前述の動作を繰り返す。一方、パワースイッチがオンではなかった場合には、電源供給を停止し（＃２５）、ステップ＃３に戻り、前述のスリープ状態となる。
【００６６】
次に、ステップ＃３１の更新時間の入力動作について、図５を用いて説明する。このサブルーチンに入ると、まず、更新時間を入力するために、情報設定ダイヤル２４が操作されたか否かの判定を行う（＃４５）。判定の結果、情報設定ダイヤル２４が操作されていなかった場合には、元のルーチンに戻る。一方、情報設定ダイヤル２４が操作されていた場合には、スイッチ検知回路２８３はその回転方向を検出する（＃４７）。
【００６７】
続いて、検出された回転方向が更新時間を減少させる方向か否かの判定を行う（＃４９）。判定の結果、更新時間を減少させる回転方向の場合には、前回の更新時間が下限値に達しているか否かの判定を行う（＃５１）。下限値は、適宜設定すればよいが、例えば０．１秒程度であればよい。判定の結果、下限値に達していなかった場合には、現在の設定状態から順に所定のステップで更新時間を短くする（＃５３）。
【００６８】
更新時間は、図１１に示したように、液晶モニタ２６上の撮影情報中に更新表示３０２として表示されるが、情報設定ダイヤル２４によって更新時間を短くする方向に回転操作させるたびに、例えば、現在の設定状態が初期値の３０秒であれば、図１２の（ｃ）から（ａ）の下限値の方向に向け、所定のステップで徐々に減少する。このステップは、使い勝手を考慮して適宜決定すれば良い。更新時間短縮が終わると、元のルーチンに戻る。
【００６９】
ステップ＃４９における判定の結果、減少方向でなかった場合には、前回の更新時間が上限値に達しているか否かの判定を行う（＃５５）。上限値は適宜設定すればよいが、例えば、暗電流の影響を受けない時間程度として、９分としてもよい。判定の結果、上限値に達していなかった場合には、所定のステップで更新時間を延ばす（＃５７）。情報設定ダイヤル２４によって更新時間を長くする方向に回転操作させるたびに、現在の状態から図１２の（ｅ）の上限値の方向に向け、所定のステップで徐々に増加する。更新時間伸長が終わると、元のルーチンに戻る。なお、この更新時間間隔は一例であり、適宜変更できる。
【００７０】
次に、ステップ＃３７における撮影動作について、図６を用いて説明する。このサブルーチンは、１Ｒスイッチがオンになるとスタートし、まず、液晶モニタ２６に表示されている撮影情報をオフする（＃６１）。続いて、位相差ＡＦ制御のサブルーチンを実行する（＃６３）。このサブルーチンでは、公知の位相差ＡＦにより撮影光学系１０１の焦点ズレ方向および焦点ズレ量を検出し、この焦点ズレ方向・焦点ズレ量に基づいて光学系駆動機構１０７の駆動制御を行い、撮影光学系１０１のピント合わせを行う。
【００７１】
位相差ＡＦが終わると、ステップ＃９と同様に、バルブモードが設定されているか否かを判定する（＃６５）。判定の結果、バルブモードが設定されていなかった場合には、測光・露光量演算を行い、シャッタ速度や絞り値等の露出制御値を求める（＃６７）。一方、判定の結果バルブモードが設定されていた場合には、ステップ＃６７をスキップし、ステップ＃６９に進む。バルブモードの場合には、前述したように、シャッタ２１３の開閉時間は撮影者によって決められ、測光および露光量演算は不要のためである。
【００７２】
続いて、シャッタ釦２１が全押しされたか、すなわち、２Ｒスイッチがオンか否かを判定する（＃６９）。判定の結果、２Ｒスイッチがオンとはなっていなかった場合には、１Ｒスイッチがオンか否かを判定する（＃８７）。判定の結果、１Ｒスイッチがオンではなかった場合には、撮影動作を終了して、元のルーチンに戻る。一方、判定の結果、１Ｒスイッチがオンの場合には、ステップ＃６９に戻り、１Ｒスイッチと２Ｒスイッチの状態を検出する待機状態となる。
【００７３】
ステップ＃６９における判定の結果、２Ｒスイッチがオンとなると、撮影を行なうためのステップに移る。まず、可動ミラー２０１の退避動作（上昇位置へ移動）を行う（＃７１）。これによって、撮影光学系１０１による被写体光束が撮像素子２２１の方向に導かれる。続いて、レンズＣＰＵ１１１に絞込み動作を指示し、絞り１０３の絞り込み動作を実行させる（＃７３）。
【００７４】
これで、通常の撮影動作もしくはバルブ撮影動作に入る準備ができたので、露光動作を開始する（＃７５）。露光は、シャッタ２１３の先幕の走行を開始させると共に、撮像素子２２１の電荷蓄積を開始する。ステップ＃６７で求められたシャッタ速度もしくは撮影者によって手動設定されたシャッタ速度に対応する時間が経過すると、シャッタ２１３の後幕の走行を開始させると共に、撮像素子２２１の電荷蓄積を終了する。なお、撮像動作に同期して録音動作も行う。
【００７５】
ここで、バルブモードが設定されていた場合には、レリーズ釦２１が全押しされている間、シャッタ２１３を開放状態とし、この間、撮像素子２２１によって更新時間間隔で繰り返し画像データを取得し、この画像データに基づく加算画像を液晶モニタ２６に更新しながら表示する。また、画像データの取得に併せ、更新時間間隔で音声データを取得し、これを記録媒体２７７に記録する。この露光動作の詳細は図７を用いて後述する。
【００７６】
露光動作が終了すると、絞り１０３の開放指示をレンズＣＰＵ１１１に出力し、絞り１０３を開放し（＃７７）、可動ミラー２０１を下降位置へと復帰動作を行う（＃７９）。続いて、撮像素子２２１から読み出されて、一時的にＳＤＲＡＭ２６７に記憶されている通常の画像もしくは加算画像のデータの画像処理を行う（＃８１）。画像処理された加算画像データと音声データを記録媒体２７７に記録し（＃８３）、液晶モニタ２６に表示していた画像の表示を停止する（＃８５）。画像表示を停止させると、元のルーチンに戻る。
【００７７】
次に、ステップ＃７５における露光動作について、図７に示すフローチャートと図９に示すタイミングチャートを用いて説明する。このサブルーチンに入ると、まず、ステップ＃９と同様に、バルブモードが設定されているか否かを判定する（＃１０１）。判定の結果、バルブモードが設定されていなかった場合には、プログラム撮影モード等の通常の撮影モードを実行する。
【００７８】
通常の撮影モードとして、まず、露光時間計時用のタイマーをスタートさせ（＃１０３）、シャッタ２１３の開放と共に撮像素子２２１に撮像と録音を開始させる（＃１０５）。すなわち、撮像素子２２１上に結像している被写体像の光電変換を行い、信号電荷の蓄積を開始させる。また、マイク２５によって周囲の音声を音声データに変換し、一時記憶部３１３に一時記憶する。次に、ステップ＃６７で演算された、もしくは手動設定されたシャッタ速度に対応する露光時間(設定秒時)が経過したか否かを判定する（＃１０７）。判定の結果、露光時間が経過すると、シャッタ２１３を閉じると共に撮像素子２２１における撮像と録音を停止する（＃１０９）。
【００７９】
続いて、撮像素子２２１から画像信号の読み出しを行い（＃１１１）、この読み出された画像信号をＳＤＲＡＭ２６７に一時蓄積する（＃１１３）。この一時蓄積された画像信号に基づいて、液晶モニタ２６に撮影画像の表示を行う（＃１１５）。
【００８０】
ステップ＃１０１における判定の結果、バルブモードが設定されていた場合には、はじめに、一時記憶部２９２に用意された記録領域のすべての画像データをクリアし（＃１１９）、ステップ＃３１において手動入力された更新時間を設定する（＃１２０）。続いて、表示の更新時間計時用のタイマーをスタートさせる（＃１２１）。
【００８１】
次に、ステップ＃１０５と同様に、シャッタ２１３を開放すると共に撮像と録音を開始する（＃１２３、図９のｔ１１のタイミング）。このときマイク２５とオーディオ回路２８７によって取得した音声データは、一時記憶部３１３のいずれかの一方の記憶領域に一時記憶される。
【００８２】
撮像と録音を開始すると、次に、更新時間計時用のタイマーが、ステップ＃１２０において設定された更新時間を経過した否かの判定を行う（＃１２５）。判定の結果、更新時間が経過していなかった場合には、レリーズ釦２１の全押しが解除されたか、すなわち、２Ｒスイッチがオフとなったか否かを判定する（＃１５１）。２Ｒスイッチがオンで更新時間が経過していない場合には、ステップ＃１２５とステップ＃１５１を繰り返し判定する待機状態となる。
【００８３】
ステップ＃１２５における判定の結果、更新時間が経過すると、シャッタ２１３は開のまま撮像素子２２１の撮像と録音を停止し（図９のｔ１２のタイミング）、画像信号の読み出しを行う（＃１２７、＃１２９）。続いて、読み出した画像信号に基づく画像データを一時記憶部２９２に一時記憶する（＃１３１）。更新時間計時用のタイマーを再スタートさせ（＃１３３）、撮像素子２２１に撮像を開始させると共に、録音を開始させる（＃１３５）。このとき取得した音声データは一時記憶部３１１の他方の記憶領域に一時記憶される。
【００８４】
次に、一時記憶部２９２に記憶されている全画像データを読み出し、この全画像データの加算演算を行う（＃１３７）。この加算演算結果は、加算画像記憶部２９５に記憶される。続いて、加算演算された加算画像を液晶モニタ２６に表示する（＃１３９）。
【００８５】
続いて、一時記憶部２９２に一時記憶された画像データと、一時記憶部３１３に一時記憶された音声データを記録媒体２７７に記録する（＃１４１）。なお、ステップ＃１３５における録音開始にあたって、記録媒体２７７に記録のために音声データを読み出している一時記憶部３１３の記憶領域と異なる記憶領域に音声データが一時記憶されている。記録媒体２７７への記録が終わると、ステップ＃１２４に戻り、前述のステップを実行する。
【００８６】
ステップ＃１５１における判定の結果、レリーズ釦２１の全押しが解除されると、すなわち、２Ｒスイッチがオフになったと判定されると（図９のｔ２１のタイミング）、シャッタ２１３を閉じると共に撮像と録音を停止する(＃１５３)。すなわち、露光動作と録音動作を終了し、この後、元のルーチンに戻る。元のルーチンに戻ると、ステップ＃８３において、前述したように加算画像（図９においては、「Ｓ」で表示）を記録する。
【００８７】
このように、ステップ＃３１（＃１２０）で設定された更新時間が経過するたびに（＃１２６→Ｙ）、撮像素子２２１での撮像と録音が停止され、画像データが出力され、それまでの全画像データの全加算画像が求められ表示される。この加算画像は、最初に更新時間が経過した時点では、露光時間が短いため、全体に暗い画像であるが、更新時間が経過するたびに、全画像データが増加することから、次第に明るい画像となる。
【００８８】
また、撮像を開始すると、マイク２５を通じて音声データを取得し、これを一時記憶部３１３の一対の記憶領域のいずれかに一時記憶し、更新時間が経過するたびに（＃１２６→Ｙ）、録音を停止する（＃１２７）。そして、撮像を再開すると共に、録音も再開し（＃１３５）、一時記憶部３１３の一対の記憶領域の他方に音声データを一時記憶する。他方の記憶領域に一時記憶している間に、他方の記憶領域に一時記憶された音声データを読出し、記録媒体２７７に記録している。
【００８９】
このように、本実施形態においては、加算画像を生成するにあたって行う更新時間ごとの撮像の停止・再開に同期して録音動作も行っている。また、バルブ撮影が終了すると、加算画像を記録媒体２７７に記録している。
【００９０】
次に、ステップ＃３３における再生動作のサブルーチンについて、図８に示すフローチャートと、図１０に示すタイミングチャートを用いて説明する。再生釦３８に連動する再生スイッチが操作されると（図１０のｔ３１のタイミング）、このフローに入り、まず、記録媒体２７７から画像データと音声データを読み出す（＃２０１、図１０のｔ３２の期間）。ここで、読み出す画像データは最終的に得られた加算画像のデータである。
【００９１】
読み出された最終の加算画像の画像処理を行い（＃２０３、図１０のｔ３３のタイミング）、液晶モニタ２６に表示し（＃２０５）、音声データの再生を行う（＃２０７）。音声データは実際の録音時間と同時間で再生される。続いて、今、読み出した音声データが最後の音声データか否かの判定を行う（＃２０９）。判定の結果、最後の音声データでなかった場合には、次の音声データの読出しを行い（＃２１１）、ステップ＃２０７に戻り、前述のステップを繰り返す。
【００９２】
ステップ＃２０７からステップ＃２１１を繰り返し行うことにより、更新時間間隔で音声データが更新され、スピーカー２９からバルブ撮影時の周囲の音を再現することができる。なお、バルブ撮影時にかなり長時間の場合や、音声が殆どない場合には、短時間で再生するように音声の短縮化処理を行ってもよい。
【００９３】
ステップ＃２０９における判定の結果、最後の音声データであった場合には、所定時間経過するのを待つ（＃２２１）。所定時間、経過すると（図１０のｔ３４のタイミング）、液晶モニタ２６における加算画像の表示を消去し（＃２２３）、元のルーチンに戻る。
【００９４】
このように、本実施形態における再生動作においては、加算画像を表示すると共に、音声データを順次、再生している。このため、バルブ撮影時に記録された画像データと音声データを再生することのできる撮像装置を提供することができる。
【００９５】
なお、本実施形態においては、更新時間経過時に読み出された画像データを記録媒体２７７に記録していたが、個々の画像データに基づく画像表示を行わないことから、更新時間経過時には、音声データのみを記録するようにしても良い。また、一時記憶部３１３に音声データの一時記憶用に多数の記憶領域を設け、バルブ撮影終了時に音声データを記録媒体２７７に記録してもよい。
【００９６】
次に、本発明の第２実施形態について、図１４および図１５を用いて説明する。第１実施形態においては、再生動作にあたって、最終的な加算画像を表示していたが、第２実施形態においては、一時記憶部２９２の個々の記憶領域に対応して記録された画像データを順次、加算しながら表示すると共に、画像の更新に併せて音声データを再生するようにしている。
【００９７】
本発明の第２実施形態の構成および動作は、第１実施形態において図８に示したフローチャートを図１４に示すフローチャートに置き換え、図１０に示したタイミングチャートを図１５に示すタイミングチャートに置き換える以外は同様であるので、相違点を中心に説明する。
【００９８】
再生スイッチが操作されると（図１５のタイミングｔ４１）、図１４に示す再生動作を開始し、まず、記録媒体２７７から画像データと音声データの読出しを行う（＃３０１、図１５の期間ｔ４２）。ここで読み出される画像データは、一時記憶部２９２の各記憶領域に記憶された個々の画像データに対応して、記録媒体２７７に記録された画像データであり、最初にこのステップを実行する際には、記憶領域Ａに記憶された画像データに対応する画像データである。
【００９９】
続いて、画像加算処理を行う（＃３０３）。なお、最初にこのステップを実行する際には、記憶領域Ａに記憶された画像データに対応する画像データのみであるので、加算処理をすることなく、そのままの画像データを出力する。
【０１００】
次に、加算処理された画像の表示を行い（＃３０５、図１５のタイミングｔ４３から画像３２１の表示）、音声データの再生を行う（＃３０７、図１５の音声再生３３１）。音声データの再生時間が経過すると、最後の音声か否かの判定を行う（＃３０９）。この判定の結果、最後の音声データでなかった場合には、ステップ＃３０１に戻り、前述の動作を繰り返す。
【０１０１】
ステップ＃３０１に戻り、２回目の動作を行う場合には、記録媒体２７７から記憶領域Ｂに記憶された画像データに対応する画像データであり、この画像データと前回読み出した記憶領域Ａに対応する画像データとの加算処理を行い、この加算画像３２２をステップ＃３０５において表示する。再生される音声３３２は、記憶領域Ｂに記憶された画像を撮像していた期間に対応する音声データである。ステップ＃３０１から＃３０９を繰り返し行うことにより、バルブ撮影時の加算画像が順次、表示されると共に、音声データも再生される。
【０１０２】
ステップ＃３０１において、最後の音声データとこれに対応する画像データが読み出されると（図１５のｔ４４の期間）、今までの画像データの全加算演算が行われ、この全加算画像３２４が表示されると共に、最後の更新時間における音声３３４が再生される。
【０１０３】
ステップ＃３０９における判定の結果、最後の音声データであった場合には、全加算画像３２４の表示時間が所定時間、経過したか否かを判定し、所定時間が経過すると、全加算画像３２４の表示を消去する（＃３２１）。画像を消去すると元のルーチンに戻る。
【０１０４】
このように、本発明の第２実施形態においても、加算画像を表示すると共に、音声データを順次、再生している。特に第２実施形態においては、個々の画像データを加算演算処理しながら加算画像を表示している。このため、バルブ撮影時における画像の変化を表示することができ、また、この変化に合わせて音声が再生されるようにしているので、臨場感のある再生を行うことができる。
【０１０５】
なお、第２実施形態においては、記録媒体２７７に個々の画像データを記録していたが、これに限らず、記録媒体２７７に更新時間ごとに求められた加算画像のデータを記録し、再生時には、この加算画像のデータを順次読み出して表示しても勿論かまわない。
【０１０６】
以上、説明したように、本発明の各実施形態においては、所定の周期で被写体像を繰り返し撮像し、１回の撮像動作に同期して音声データを記録するようにし、再生時には、加算画像表示に連動して、音声データを記録順に再生するようにしている。このため、バルブ撮影等の長時間露光時においても、加算画像の表示と共に音声を再生することができる。
【０１０７】
なお、本発明の各実施形態においては、デジタル一眼レフカメラで撮影・録音を行うと共に再生を行っていた。しかし、これに限らず、デジタル一眼レフカメラは撮影・録音のみ行い、再生は記録媒体２７７から画像データおよび音声データを転送したパーソナルコンピュータにおいて実行するようにしても良い。
【０１０８】
また、本発明の各実施形態においては、バルブモードが設定されると、レリーズ釦２１が全押しされ、この全押しが解除されるまで、すなわち、２Ｒスイッチがオンの間だけ、シャッタが開放され、撮像動作を行っていた。しかし、このやり方以外にも、例えば、レリーズ釦２１が全押し（第１のレリーズ操作）された際に撮像動作を開始し、レリーズ釦２１の全押しが解除されても撮像動作を続け、再びレリーズ釦２１が全押し（第１のレリーズ操作の後に行われる第２のレリーズ操作）された際に撮像動作を停止するようにしてもよい。
【０１０９】
また、本発明の各実施形態において、バルブ撮影時での表示について説明したが、これに限らず、長秒時撮影の場合にも適用することができる。長秒時撮影の場合には、ステップ＃１５１（図７）において、２Ｒスイッチを判定するのではなく、設定された長秒時が経過したか否かを判定すれば良い。
【０１１０】
さらに、本発明の各実施形態において、露光動作を終了する場合に、ステップ＃１５３(図７)において、撮像を停止すると、元のルーチンに戻っている。しかし、このとき、撮像部２９１は撮像素子２２１に信号電荷が蓄積されていることから、この信号を読み出し、加算画像を生成し、表示するようにしてもよい。
【０１１１】
さらに、本発明の各実施形態においては、更新時間はステップ＃３１において、手動で設定するようにしていたが、これに限らず、被写体の輝度に応じて、例えば、輝度が高い場合には更新時間を短く、逆に輝度が低い場合には更新時間を長くするなど、自動的に設定するようにしても勿論かまわない。
【０１１２】
さらに、本発明の各実施形態においては、デジタルカメラとして一眼レフタイプに適用した例を説明したが、本発明は一眼レフタイプ以外のコンパクトタイプ等のデジタルカメラでもよく、また、携帯電話や携帯情報端末（ＰＤＡ：Personal
Digital Assist）等に内蔵されるカメラでも勿論構わない。バルブモードや長秒時撮影が可能な撮像装置であれば、本発明を適用することができる。
【０１１３】
以上、本発明の各実施形態を用いて説明したが、本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。
【図面の簡単な説明】
【０１１４】
【図１】本発明の第１実施形態に係わるデジタル一眼レフカメラを背面から見た外観斜視図である。
【図２】本発明の第１実施形態に係わるデジタル一眼レフカメラの電気系の全体構成を示すブロック図である。
【図３】本発明の第１実施形態に係わるデジタル一眼レフカメラにおいて、バルブモード等の撮像・録音および表示に関連する構成を抽出して示したブロック図である。
【図４】本発明の第１実施形態におけるパワーオンリセットの動作を示すフローチャートである。
【図５】本発明の第１実施形態における更新時間入力の動作を示すフローチャートである。
【図６】本発明の第１実施形態における撮影動作を示すフローチャートである。
【図７】本発明の第１実施形態における露光動作を示すフローチャートである。
【図８】本発明の第１実施形態における再生動作を示すフローチャートである。
【図９】本発明の第１実施形態における露光動作時のタイミングチャートである。
【図１０】本発明の第１実施形態における再生動作時のタイミングチャートである。
【図１１】本発明の第１実施形態に係わるデジタル一眼レフカメラの撮影情報表示を示す図である。
【図１２】本発明の第１実施形態に係わるデジタル一眼レフカメラの更新表示を示す図であり、（ａ）から（ｅ）はそれぞれ異なる更新時間の表示を示す。
【図１３】本発明の第１施形態におけるバルブモード撮影時の表示を示す図であり、（ａ）から（ｈ）は更新時間の経過に伴って変化する表示を示す。
【図１４】本発明の第２実施形態における再生動作時のタイミングチャートである。
【図１５】本発明の第２実施形態における再生動作時のタイミングチャートである。
【符号の説明】
【０１１５】
２１・・・レリーズ釦、２２・・・撮影モードダイヤル、２４・・・情報設定ダイヤル、２５・・・マイク、２５ａ・・・マイク用穴、２６・・・液晶モニタ、２７・・・連写／単写釦、２８・・・ＡＦロック釦、２９・・・スピーカー、２９ａ・・・スピーカー用穴、３０・・・十字釦、３０Ｕ・・・アップ用十字釦、３０Ｄ・・・ダウン用十字釦、３０Ｒ・・・右側釦、３０Ｌ・・・左側釦、３１・・・ＯＫ釦、３３・・・ライブビュー表示釦、３４・・・拡大釦、３７・・・メニュー釦、３８・・・再生釦、４０・・・メディア装填蓋、５０・・・ストロボ、１００・・・交換レンズ、１０１・・・撮影光学系、１０３・・・絞り、１０７・・・光学系駆動機構、１０９・・・絞り駆動機構、１１１・・・レンズＣＰＵ、２００・・・カメラ本体、２０１・・・可動ミラー、２０３・・・サブミラー、２０５・・・フォーカシングスクリーン、２０７・・・ペンタプリズム、２１１・・・測光センサ、２１３・・・フォーカルプレーンシャッタ、２１７・・・赤外カットフィルタ・ローパスフィルタ、２２１・・・撮像素子、２２３・・・撮像素子駆動回路、２２５・・・ＡＤＣ回路、２２７・・・暗電流除去回路、２３７・・・シャッタ駆動機構、２３９・・・可動ミラー駆動機構、２４１・・・測光処理回路、２４３・・・焦点検出センサ、２４５・・・焦点検出処理回路、２５０・・・ＡＳＩＣ、２５１・・・シーケンスコントローラ（ボディＣＰＵ）、２５２・・・データバス、２５７・・・画像処理回路、２５９・・・圧縮伸張回路、２６１・・・ビデオ信号出力回路、２６３・・・液晶モニタ駆動回路、２６５・・・ＳＤＲＡＭ検知回路、２６７・・・ＳＤＲＡＭ、２７１・・・入出力回路、２７３・・・通信回路、２７５・・・記録媒体制御回路、２７７・・・記録媒体、２７９・・・フラッシュメモリ制御回路、２８１・・・フラッシュメモリ、２８３・・・スイッチ検知回路、２８５・・・各種スイッチ、２８７・・・オーディオ回路、２９１・・・撮像部、２９２・・・一時記憶部、２９３・・・加算演算部、２９４・・・加算処理部、２９５・・・加算画像記憶部、２９６・・・画像表示部、２９７・・・制御部、２９８・・・設定部、３００・・・通信接点、３０１・・・バルブモード表示、３０２・・・更新時間表示、３１１・・・音声記録部、３１３・・・一時記憶部、３１４、メディア記録再生部、３１５・・・音声再生部、３２１・・・画像、３２２・・・加算画像、３２４・・・全加算画像、３３１・・・音声、３３２・・・音声、３３４・・・音声
【図１】
2009239601.tif 000003
【図２】
2009239601.tif 000004
【図３】
2009239601.tif 000005
【図４】
2009239601.tif 000006
【図５】
2009239601.tif 000007
【図６】
2009239601.tif 000008
【図７】
2009239601.tif 000009
【図８】
2009239601.tif 000010
【図９】
2009239601.tif 000011
【図１０】
2009239601.tif 000012
【図１１】
2009239601.tif 000013
【図１２】
2009239601.tif 000014
【図１３】
2009239601.tif 000015
【図１４】
2009239601.tif 000016
【図１５】
2009239601.tif 000017